(57)【特許請求の範囲】
【請求項１】
対物レンズと、
前記対物レンズの像側に配置され変倍光学系を有する変倍鏡筒とを有し、
前記変倍鏡筒は、前記変倍光学系である平行に配置された左右一対のレンズを該一対のレンズの平行な光軸に沿った方向に移動するための第１駆動手段と、
前記左右一対のレンズを前記光軸に直交する方向で当該左右一対のレンズの光軸間距離を変えるように移動するための第２駆動手段と、
前記第１駆動手段と前記第２駆動手段を駆動する駆動部材と、を具備し、
前記左右一対のレンズは、変倍の際、前記第１駆動手段および前記第２駆動手段によって、光軸方向の一方端から他方端へ移動するに従い、当該左右一対のレンズの光軸は平行のまま前記光軸間距離が変化するように移動することを特徴とする平行系実体顕微鏡。
【請求項２】
前記第１駆動手段は、前記変倍光学系の光軸方向に沿って長軸が配置された一対のガイド軸と、
前記それぞれのガイド軸上にそれぞれの当該ガイド軸上を摺動可能に取り付けられ、前記光軸に直交する面内で延在する上下動部材と、
前記変倍鏡筒に配設された第１カム部材と、
前記各上下動部材に設けられ、前記第１カム部材に設けられた第１カム溝と係合する第１カムフォロアーとからなり、
前記第２駆動手段は、前記面内を摺動可能に前記各上下動部材に保持され、前記左右一対の移動レンズをそれぞれ保持する左右一対のレンズ保持部材と、
前記変倍鏡筒に配設された第２カム部材と、
前記レンズ保持部材の各々に設けられ、前記第２カム部材に設けられた第２カム溝と係合する第２カムフォロアーとからなることを特徴とする請求項１に記載の平行系実体顕微鏡。
【請求項３】
前記第２カム部材は、前記変倍鏡筒の標本側から像側に向けて延在し、
前記第２カム溝は、前記第２カム部材上で前記第２カムフォロアーに対応して対をなして互いに並んで形成され、前記各左右一対の移動レンズの移動範囲内で前記光軸方向に延在しており、
前記対をなす溝間の距離は一方の溝端部側から他方の溝端部側に向かうにつれて次第に変化していることを特徴とする請求項２に記載の平行系実体顕微鏡。
【請求項４】
前記第２カム部材は前記光軸を介して前記第１カム部材と対向する位置に配置されていることを特徴とする請求項２または３に記載の平行系実体顕微鏡。
【請求項５】
前記左右一対のレンズは、高倍端状態から低倍端状態へ変倍の際、前記光軸間距離が小さくなるように移動することを特徴とする請求項１乃至４のいずれか１項に記載の平行系実体顕微鏡。
【請求項６】
変倍光学系に含まれる平行に配置された左右一対の複数のレンズを当該変倍光学系の平行な光軸に沿った方向に移動するための第１駆動手段と、
前記左右一対のレンズを前記光軸に直交する方向で当該左右一対のレンズの光軸間距離を変えるように移動するための第２駆動手段と、
前記第１駆動手段と前記第２駆動手段を駆動する駆動部材と、を具備し、前記左右一対のレンズは、変倍の際、前記第１駆動手段および前記第２駆動手段によって、光軸方向の一方端から他方端へ移動するに従い、当該左右一対のレンズの光軸は平行のまま前記光軸間距離が変化するように移動することを特徴とする顕微鏡のレンズ駆動機構。
【請求項７】
前記第１駆動手段は、前記変倍光学系の光軸方向に沿って長軸が配置された一対のガイド軸と、
前記それぞれのガイド軸上にそれぞれの当該ガイド軸上を摺動可能に取り付けられ、前記光軸に直交する面内で延在する上下動部材と、
前記変倍鏡筒に配設された第１カム部材と、
前記各上下動部材に設けられ、前記第１カム部材に設けられた第１カム溝と係合する第１カムフォロアーとからなり、
前記第２駆動手段は、前記面内を摺動可能に前記各上下動部材に保持され、前記左右一対のレンズをそれぞれ保持する左右一対のレンズ保持部材と、
前記変倍鏡筒に配設された第２カム部材と、
前記レンズ保持部材の各々に設けられ、前記第２カム部材に設けられた第２カム溝と係合する第２カムフォロアーとからなることを特徴とする請求項６に記載の顕微鏡のレンズ駆動機構。
【請求項８】
前記左右一対のレンズは、高倍端状態から低倍端状態へ変倍の際、前記光軸間距離が小さくなるように移動することを特徴とする請求項６または７に記載の顕微鏡のレンズ駆動機構。
【発明の詳細な説明】
【技術分野】
【０００１】
本発明は、平行系実体顕微鏡と、これに用いられる顕微鏡のレンズ駆動機構に関する。
【背景技術】
【０００２】
近年、アプリケーションの多様化に伴い、広い変倍域を１つの装置で観察することのできる平行系実体顕微鏡（以後、本明細書において単に実体顕微鏡と記す。）の開口数の上昇と、変倍域の低倍側への拡大が求められているが、従来の実体顕微鏡では左右の光軸間距離が固定されているため、更に高い開口数が必要な場合、実体顕微鏡の左右のレンズ系の各々のレンズのレンズ径を大きく設計しなければならず、その結果、実体顕微鏡全体の大きさが大型化してしまうおそれがあった。これを解決するために、対物レンズの像面側に配置される左右のレンズ系の直径を異なる径にし、実体顕微鏡全体の大きさを大型化することなく高開口数を達成した実体顕微鏡が提案されている（特許文献１参照）。
【先行技術文献】
【特許文献】
【０００３】
【特許文献１】特開２００７−６５６５１号公報
【発明の概要】
【発明が解決しようとする課題】
【０００４】
しかし、従来の実体顕微鏡では、左右のレンズ系の直径が異なるため、左右で明るさが異なるといった問題があった。
【０００５】
本発明は、左右の明るさを同等にでき、実体顕微鏡本体の大型化を招くことなく光軸間距離可変機能を有する実体顕微鏡と、これを実現する顕微鏡のレンズ駆動機構を提供することを目的とする。
【課題を解決するための手段】
【０００６】
上記課題を解決するため、本発明に係る実体顕微鏡は、対物レンズと、前記対物レンズの像側に配置され変倍光学系を有する変倍鏡筒とを有し、前記変倍鏡筒は、前記変倍光学系である平行に配置された左右一対のレンズを該一対のレンズの平行な光軸に沿った方向に移動するための第１駆動手段と、前記左右一対のレンズを前記光軸に直交する方向で当該左右一対のレンズの光軸間距離を変えるように移動するための第２駆動手段と、前記第１駆動手段と前記第２駆動手段を駆動する駆動部材と、を具備し、前記左右一対のレンズは、変倍の際、前記第１駆動手段および前記第２駆動手段によって、光軸方向の一方端から他方端へ移動するに従い、当該左右一対のレンズの光軸は平行のまま前記光軸間距離が変化するように移動することを特徴とする。
【０００７】
また、本発明に係る顕微鏡のレンズ駆動機構は、変倍光学系に含まれる平行に配置された左右一対の複数のレンズを当該変倍光学系の平行な光軸に沿った方向に移動するための第１駆動手段と、前記左右一対のレンズを前記光軸に直交する方向で当該左右一対のレンズの光軸間距離を変えるように移動するための第２駆動手段と、前記第１駆動手段と前記第２駆動手段を駆動する駆動部材と、を具備し、前記左右一対のレンズは、変倍の際、前記第１駆動手段および前記第２駆動手段によって、光軸方向の一方端から他方端へ移動するに従い、当該左右一対のレンズの光軸は平行のまま前記光軸間距離が変化するように移動することを特徴とする。
【発明の効果】
【０００８】
本発明によれば、左右の明るさを同等にでき、実体顕微鏡本体の大型化を招くことなく光軸間の距離を変えることができる光軸間距離可変機能を有する実体顕微鏡、及びこれを実現する顕微鏡のレンズ駆動機構を提供することができる。
【図面の簡単な説明】
【０００９】
【図１】本願の実施形態に係る顕微鏡の概略構成側面図である。
【図２】（ａ）、（ｂ）はそれぞれ、高倍端状態における図１のＡ−Ａ線に沿った実体顕微鏡の変倍鏡筒の断面図、及び、低倍端状態における図１のＡ−Ａ線に沿った実体顕微鏡の変倍鏡筒の断面図である。
【図３】図２（ａ）のＢ−Ｂ線に沿った変倍鏡筒の縦断面図である。
【図４】図２（ｂ）のＣ−Ｃ線に沿った変倍鏡筒の横断面図である。
【図５】図２（ａ）のＤ−Ｄ線に沿った変倍鏡筒の横断面図である。
【図６】図１のＥ−Ｅ線に沿った変倍鏡筒の縦断面図である。
【図７】（ａ）、（ｂ）は、それぞれ高倍端状態の変倍光学系の構成を示す図、及び低倍端状態の変倍光学系の構成を示す図である。
【発明を実施するための形態】
【００１０】
以下、本発明の実施形態に係る実体顕微鏡について図面を参照しつつ説明する。なお、以下の実施形態は、発明の理解を容易にするためのものに過ぎず、本発明の技術的思想を逸脱しない範囲において当業者により実施可能な付加・置換等を施すことを排除することは意図していない。
【００１１】
（実施の形態）
図１は、本願の実施形態に係る実体顕微鏡の概略構成側面図である。
【００１２】
図１を参照しつつ本実施形態に係る実体顕微鏡について説明する。
【００１３】
図１において、実体顕微鏡２０は、標本１が載置されるステージ２が架台３上に配置されており、この架台３上に支柱４を介して実体顕微鏡本体５の対物レンズ６がステージ２に対向するように配置されている。支柱４には実体顕微鏡本体５を対物レンズ６の光軸方向に昇降移動させてピント合わせを行うための焦準ハンドル７を含む焦準機構８が配置されている。また、実体顕微鏡本体５は、変倍光学系を有する変倍鏡筒１０を有し、手動操作によって変倍光学系中の複数のレンズを光軸に沿った方向と光軸に直交する方向に移動させるための左右一対の変倍ハンドル９ａ、９ｂが配設されている。
【００１４】
符号１１は、実体顕微鏡本体５の上部に位置する二眼鏡筒であり、接眼レンズ１２が正面斜め上向きに取り付けられている。なお、鏡筒１１は、デジタルカメラ等を装着可能とする三眼鏡筒を用いても良い。
【００１５】
次に、変倍鏡筒１０の変倍機構の構成について図２〜図７を参照しつつ説明する。
【００１６】
図２（ａ）、（ｂ）はそれぞれ、高倍端状態における図１のＡ−Ａ線に沿った実体顕微鏡の変倍鏡筒の断面図、及び、低倍端状態における図１のＡ−Ａ線に沿った実体顕微鏡の変倍鏡筒の断面図である。図３は図２（ａ）のＢ−Ｂ線に沿った変倍鏡筒１０の縦断面図、図４は図２（ｂ）のＣ−Ｃ線に沿った変倍鏡筒１０の横断面図、図５は図２（ａ）のＤ−Ｄ線に沿った変倍鏡筒の横断面図、図６は図１のＥ−Ｅ線に沿った変倍鏡筒１０の縦断面図である。図７（ａ）、（ｂ）はそれぞれ、高倍端状態の変倍光学系の構成を示す図、及び、低倍端状態の変倍光学系の構成を示す図である。
【００１７】
図２（ａ）、（ｂ）、図７（ａ）、（ｂ）に示すように、本実施形態に係る実体顕微鏡２０の変倍鏡筒１０の筐体１０ａには、左右２本の観察光路上に、物体側から順に、正屈折力の第１レンズ群３０，３０、負屈折力の第２レンズ群３２、３２、正屈折力の第３レンズ群３４、３４、負屈折力の第４レンズ群３６、３６とからなる４群構成の変倍光学系が配置されている。左右の観察光路上の第１から第４のレンズ群は、それぞれ左右のレンズ径が等しく構成されている。
【００１８】
図２（ａ）、（ｂ）に示すように、本実施形態では第２レンズ群３２，３２と第３レンズ群３４，３４とが変倍光学系の光軸に沿って移動可能に構成され、第１レンズ群３０，３０と第４レンズ群３６，３６とが筐体１０ａの物体側端面１０ｂと像側端面１０ｃとにそれぞれ不図示の固定部材によって固定されている。なお、本明細書において、「物体側」とは架台３上の標本１側を示し、「像側」とは、二眼鏡筒１１側を示す。
【００１９】
このような構成の下、例えば図２（ａ）、図７（ａ）に示す高倍端状態から図２（ｂ）、図７（ｂ）に示す低倍端状態へと変倍する際、第２レンズ群３２，３２が像側から物体側へ、第３レンズ群３４，３４が物体側から像側へとそれぞれ移動する。
【００２０】
筐体１０ａには、光軸方向に沿って二本のガイド軸３８ａ、３８ｂが配置されている。ガイド軸３８ａ、３８ｂには、後述する上下動部材４０ａ、４０ｂがそれぞれガイド軸３８ａ、３８ｂ上を摺動可能に取り付けられており、上下動部材４０ａには第２レンズ群３２，３２が配置され、上下動部材４０ｂには第３レンズ群３４，３４が配置されている。
【００２１】
二本のガイド軸３８ａ、３８ｂの間には、円柱カム４２が光軸方向に沿って配置されている。円柱カム４２の外周には上下一対の螺旋状の第１カム溝４２ａ、４２ｂが形成されており、第１カム溝４２ａは第２レンズ群３２，３２の光軸方向に沿った移動に供され、第１カム溝４２ｂは第３レンズ群３４，３４の光軸方向に沿った移動に供される。
【００２２】
図１及び図２（ａ）、（ｂ）に示すように、変倍鏡筒１０の筐体１０ａの左右両側には変倍ハンドル９ａ、９ｂが回転可能に設けてあり、変倍ハンドル９ａ、９ｂとは連結軸９ｃにより一体に連結されている。連結軸９ｃは、円柱カム４２の像側端部近傍で円柱カム４２に対して垂直方向に配設されている。
【００２３】
図３に示すように、筐体１０ａには、連結軸９ｃからの回転を円柱カム４２に伝達するための動力伝達手段５０が設けてある。動力伝達手段５０では、連結軸９ｃを中心として連結軸９ｃの外周に設けられた第１かさ歯車５１と、第１かさ歯車５１の軸心に直角に配置された第２かさ歯車５２とが噛合している。第２かさ歯車５２の上部側面外周部に形成された歯５２ａは、円柱カム４２の像側端部に取り付けられた歯車５３の歯と噛合している。このような構成により、変倍ハンドル９ａ、９ｂを回転させて連結軸９ｃが回転すると、連結軸９ｃの回転とともに第１かさ歯車５１が回転し、この回転力が第２かさ歯車５２に伝達され、第２かさ歯車５２の歯５２ａを介して歯車５３が回転し、円柱カム４２が回転する。  
【００２４】
次に、上下動部材４０ａ、４０ｂについてそれぞれ説明する。図２（ａ）、（ｂ）に示すように、上下動部材４０ａは第２レンズ群３２，３２を保持しており、ガイド軸３８ａ上を摺動可能に構成されている。
【００２５】
図２（ａ）、（ｂ）及び図４に示すように、上下動部材４０ａは、ガイド軸３８ａの外周に外嵌する円筒状の支持部材４１ａと、この支持部材４１ａの物体側の端面に固設され光軸に直交する面内に延びる枠部材４４ａと、左右一対の第２レンズ群３２，３２をそれぞれ保持する左右対称に形成されたレンズ保持部材４３ａ、４３ｂとから構成されている。
【００２６】
矩形状に形成された枠部材４４ａの矩形状の開口部４５ａの長手方向の縁部には、第２レンズ群３２，３２のそれぞれの光軸と直交する面内で第２レンズ群３２，３２の光軸間距離（レンズ間の間隔）を変えるようにレンズ保持部材４３ａ、４３ｂを移動させるためのレンズ保持部材用ガイド軸４６ａ、４６ｂが配設され、レンズ保持部材４３ａ、４３ｂは、レンズ保持部材用ガイド軸４６ａ、４６ｂを介して開口部４５ａに保持されている。
【００２７】
図３に示すように、レンズ保持部材４３ａ、４３ｂにおけるレンズ保持部材用ガイド軸４６ａ、４６ｂと対応する位置には挿通孔４９ａ、４９ｂが設けられており、この挿通孔４９ａ、４９ｂにレンズ保持部材用ガイド軸４６ａと４６ｂとがそれぞれ挿通されている。
【００２８】
また、図４に示すように、枠部材４４ａにおける円柱カム４２と隣接する位置には第１カムフォロアー４７ａが固着されており、第１カムフォロアー４７ａは円柱カム４２の第１カム溝４２ａと係合している。
【００２９】
また、図４に示すように、光軸と直交する面内において、レンズ保持部材４３ａ、４３ｂにおける円柱カム４２側とは反対側の端部には第２カムフォロアー４８ａ、４８ｂがそれぞれ固着されており、第２カムフォロアー４８ａ、４８ｂは、図６に示すように、後述する板状部材６０ａの第２カム溝６４ａ、６４ｂとそれぞれ係合している。
【００３０】
次に、上下動部材４０ｂについて説明する。図２（ａ）、（ｂ）に示すように、上下動部材４０ｂは第３レンズ群３４、３４を保持しており、ガイド軸３８ｂ上を摺動可能に構成されている。
【００３１】
図２（ａ）、（ｂ）及び図５に示すように、上下動部材４０ｂは、ガイド軸３８ｂの外周に外嵌する円筒状の支持部材４１ｂと、この支持部材４１ｂの像側の端面に固設され光軸に直交する面内に延びる枠部材４４ｂと、左右一対の第３レンズ群３４，３４をそれぞれ保持する左右対称に形成されたレンズ保持部材４３ｃ、４３ｄとから構成されている。
【００３２】
矩形状に形成された枠部材４４ｂの矩形状の開口部４５ｂの長手方向の縁部には、第３レンズ群３４，３４のそれぞれの光軸と直交する面内で第３レンズ群３４，３４の光軸間距離を変えるようにレンズ保持部材４３ｃ、４３ｄを移動させるためのレンズ保持部材用ガイド軸４６ｃ、４６ｄが配設され、レンズ保持部材４３ｃ、４３ｄは、レンズ保持部材用ガイド軸４６ｃ、４６ｄを介して開口部４５ｂに保持されている。
【００３３】
図３に示すように、レンズ保持部材４３ｃ、４３ｄにおけるレンズ保持部材用ガイド軸４６ｃ、４６ｄと対応する位置には挿通孔４９ｃ、４９ｄが設けられており、この挿通孔４９ｃ、４９ｄにレンズ保持部材用ガイド軸４６ｃと４６ｄとがそれぞれ挿通されている。
【００３４】
また、図５に示すように、枠部材４４ｂにおける円柱カム４２と隣接する位置には第１カムフォロアー４７ｂが固着されており、第１カムフォロアー４７ｂは円柱カム４２の第１カム溝４２ｂと係合している。
【００３５】
また、図５に示すように、光軸と直交する面内において、レンズ保持部材４３ｃ、４３ｄにおける円柱カム４２側とは反対側の端部には第２カムフォロアー４８ｃ、４８ｄがそれぞれ固着されており、第２カムフォロアー４８ｃ、４８ｄは、図６に示すように、後述する板状部材６０ｂの第２カム溝６４ｃ、６４ｄとそれぞれ係合している。  
【００３６】
なお、枠部材４４ａ、４４ｂや、レンズ保持部材４３ａ〜４３ｄや開口部４５ａ、４５ｂの形状は上記に限られず、適宜変更可能である。また、レンズ保持部材４３ａ〜４３ｄとを光軸に直交する面内で摺動可能とする構成も、上記のようなレンズ保持部材用ガイド軸４６ａ〜４６ｄと挿通孔４９ａ〜４９ｄとの挿通に限られず、適宜変更可能である。
【００３７】
変倍光学系の光軸を挟んで円柱カム４２と対向する、変倍鏡筒１０の接眼レンズ１２側の側面には、図６に示す上下一対の板状部材６０ａ、６０ｂが複数のねじ６２により取り付けられている。対物レンズ６側の板状部材６０ａには一対の第２カム溝６４ａ、６４ｂが光軸方向に沿って並んで設けられており、一対の第２カム溝６４ａ、６４ｂは、上下動部材４０ａのレンズ保持部材４３ａ、４３ｂにそれぞれ固着された第２カムフォロアー４８ａ，４８ｂとそれぞれ係合している。一対の第２カム溝６４ａ、６４ｂは、板状部材６０ａの上方から下方に向けて光軸方向に沿って並んで延びており、第２カム溝６４ａと６４ｂとの溝間距離は、板状部材６０ａの上方から下方に向かうにつれて次第に狭くなっている。
【００３８】
一方、二眼鏡筒１１側の板状部材６０ｂには一対の第２カム溝６４ｃ、６４ｄが光軸方向に沿って並んで設けられており、一対の第２カム溝６４ｃ、６４ｄは、上下動部材４０ｂのレンズ保持部材４３ｃ、４３ｄにそれぞれ固着された第２カムフォロアー４８ｃ、４８ｄとそれぞれ係合している。一対の第２カム溝６４ｃ、６４ｄは、板状部材６０ｂの上方から下方に向けて光軸方向に沿って並んで延びており、第２カム溝６４ｃと６４ｄとの溝間距離は、板状部材６０ｂの下方から上方に向かうにつれて次第に狭くなっている。
【００３９】
また、板状部材は一枚以上で構成可能であり、例えば板状部材を一枚で構成し、一枚の板状部材の上半分に上記のような一対の第２カム溝６４ａ、６４ｂと６４ｃ、６４ｄのいずれか一方を、下半分に残りの一方をそれぞれ設けても良い。また、例えば移動レンズ群を３群以上で構成する場合、板状部材は、各左右一対の移動レンズの移動範囲ごとに複数の板部材から、すなわち左右一対の移動レンズ群の数と等しい数の板部材から構成しても良い。これは例えば、左右一対の移動レンズ群が３つであれば３つの板部材から構成することを意味する。
【００４０】
このような構成により、変倍ハンドル９ａ、９ｂを回転して動力伝達手段５０を介して円柱カム４２が回転すると、上下動部材４０ａの枠部材４４ａに固着された第１カムフォロアー４７ａが円柱カム４２の第１カム溝４２ａに沿って動くとともに、上下動部材４０ｂの枠部材４４ｂに固着された第１カムフォロアー４７ｂが円柱カム４２の第１カム溝４２ｂに沿って動く。こうして上下動部材４０ａと４０ｂとはそれぞれ支持部材４１ａ、４１ｂを介してガイド軸３８ａ、３８ｂ上を互いに近づく方向又は互いに離れる方向に摺動し、光軸方向に沿った摺動が行われる。
【００４１】
上下動部材４０ａ、４０ｂがそれぞれガイド軸３８ａ、３８ｂ上を摺動するのと同時に、上下動部材４０ａのレンズ保持部材４３ａ、４３ｂにそれぞれ固着された第２カムフォロアー４８ａ，４８ｂが板状部材６０ａの第２カム溝６４ａ、６４ｂに沿って動き、上下動部材４０ａのレンズ保持部材４３ａ、４３ｂは、変倍光学系の光軸に直交する面内に配設されたレンズ保持部材用ガイド軸４６ａ、４６ｂ上をそれぞれ摺動する。
【００４２】
第２カムフォロアー４８ａ、４８ｂとが、上述した溝間距離を有する第２カム溝６４ａ、６４ｂに沿ってそれぞれ動くと、一対のレンズ保持部材４３ａと４３ｂとは、前記レンズ保持部材用ガイド軸４６ａ、４６ｂ上で、互いに近づく方向又は互いに離れる方向に摺動することとなる。こうしてレンズ保持部材４３ａと４３ｂとに保持された左右一対の第２レンズ群３２、３２の光軸間距離を図７（ａ）、（ｂ）に示すように変えることができる。
【００４３】
同様に、上下動部材４０ａ、４０ｂがそれぞれガイド軸３８ａ、３８ｂ上を摺動するのと同時に、上下動部材４０ｂのレンズ保持部材４３ｃ、４３ｄにそれぞれ固着された第２カムフォロアー４８ｃ、４８ｄも、板状部材６０ｂの第２カム溝６４ｃ、６４ｄに沿って動き、上下動部材４０ｂのレンズ保持部材４３ｃ、４３ｄは、変倍光学系の光軸に直交する面内に配設されたレンズ保持部材用ガイド軸４６ｃ、４６ｄ上をそれぞれ摺動する。
【００４４】
第２カムフォロアー４８ｃ、４８ｄとが、上述した溝間距離を有する第２カム溝６４ｃ、６４ｄに沿ってそれぞれ動くと、一対のレンズ保持部材４３ｃと４３ｄとは、前記レンズ保持部材用ガイド軸４６ｃ、４６ｄ上で、互いに近づく方向又は互いに離れる方向に摺動することとなる。こうしてレンズ保持部材４３ｃと４３ｄとに保持された左右一対の第３レンズ群３４、３４の光軸間距離を図７（ａ）、（ｂ）に示すように変えることができる。
【００４５】
図７（ａ）に示す高倍端状態から、図７（ｂ）に示す低倍端状態へと変倍する際、第２レンズ群３２は物体側へ、第３レンズ群３４は像側へ、それぞれ移動する。これとともに、左右の光軸は、それぞれ図７（ａ）中Ｉ０で示す位置から、それぞれ図７（ｂ）中Ｉ１で示す位置へと移動し、左右の光軸間距離が近づく。
【００４６】
このようにして左右一対の変倍光学系の光軸間距離を可変とすることで、高倍側では左右の光軸間の距離間隔を広げて高開口数を確保し、低倍側では左右の光軸間距離が狭くなる。
【００４７】
以上で本発明の実施形態について説明を終えるが、本発明は、変倍に供されるレンズ群を光軸方向に沿った方向と直交方向とに移動させるための光軸間距離可変機能を有する実体顕微鏡、及びこれを実現する顕微鏡のレンズ駆動機構に関するものであり、このような移動が望まれる変倍光学系及び当該変倍光学系を備えた実体顕微鏡に使用可能である。変倍光学系のレンズ群構成は４群構成に限定されず、また、移動レンズ群は２群以上のレンズ群を移動可能な構成としても良い。
【００４８】
また、光学系の光軸方向に沿った移動に供される手段は、円柱カムに形成された第１カム溝と第１カム溝に係合する第１カムフォロアーに限られず、他の手段を適用しても良い。
【符号の説明】
【００４９】
１  標本
２  ステージ
３  架台
４  支柱
５  実体顕微鏡本体
６  対物レンズ
７  焦準ハンドル
８  焦準機構
９ａ、９ｂ  変倍ハンドル
９ｃ  変倍ハンドルの連結軸
１０  変倍鏡筒
１０ａ  変倍鏡筒の筐体
１１  鏡筒
１２  接眼レンズ
２０  実体顕微鏡
３０  第１レンズ群
３２  第２レンズ群
３４  第３レンズ群
３６  第４レンズ群
３８ａ、３８ｂ  ガイド軸
４０ａ、４０ｂ  上下動部材
４１ａ、４１ｂ  支持部材
４２  円柱カム
４２ａ、４２ｂ  第１カム溝
４３ａ、４３ｂ、４３ｃ、４３ｄ  レンズ保持部材
４４ａ、４４ｂ  枠部材
４５ａ、４５ｂ  枠部材の開口部
４６ａ、４６ｂ、４６ｃ、４６ｄ  レンズ保持部材用ガイド軸
４７ａ、４７ｂ  第１カムフォロアー
４８ａ、４８ｂ、４８ｃ、４８ｄ  第２カムフォロアー
４９ａ、４９ｂ、４９ｃ、４９ｄ  挿通孔
５０  動力伝達手段
６０ａ、６０ｂ  板状部材
６４ａ、６４ｂ、６４ｃ、６４ｄ  第２カム溝
【図１】
0005387287.tif 000002
【図２】
0005387287.tif 000003
【図３】
0005387287.tif 000004
【図４】
0005387287.tif 000005
【図５】
0005387287.tif 000006
【図６】
0005387287.tif 000007
【図７】
0005387287.tif 000008